(57)【要約】【課題】  本願課題は、パケットゲートウエー装置を切り替える改善されたノード切り替え方法を提供することである。【解決手段】  本発明は、ＩＰネットワークにおけるあるゲートウエー装置（旧ＰＧＷ）の機能を別の装置（新ＰＧＷ）にて行なわせるための方法である。先ず、新ＰＧＷが、ＩＰネットワークに物理的に接続されるが、サービス提供者側のインターフェース（ＩＦ）は非活性状態にされる。旧ＰＧＷのサービス提供者側のＩＦが、非活性状態にされ、旧ＰＧＷに保持されている情報が、サービス要求者側のＩＦを通じて新ＰＧＷに転送される。新ＰＧＷのサービス提供者側のＩＦが活性状態にされ、サービス要求者側のネットワークに接続される交換機のパケット配信テーブルが更新される。新旧ＰＧＷは、サービス提供者側からは同一のアドレスによりアクセスされる。【選択図】  図７
2005252722.tif 000002
【特許請求の範囲】
【請求項１】
インターネットプロトコルに準拠したネットワークにおけるあるパケットゲートウエー装置の機能を別のパケットゲートウエー装置にて行なわせるためのノード切り替え方法であって、
前記別のパケットゲートウエー装置を、サービス要求者側のネットワークに及びサービス提供者側のネットワークに物理的に接続するが、前記別のパケットゲートウエー装置に関するサービス提供者側のインターフェースは非活性状態にしておくところの接続ステップと、
前記あるパケットゲートウエー装置のサービス提供者側のインターフェースを非活性状態にする非活性化ステップと、
前記あるパケットゲートウエー装置に保持されている情報の少なくとも一部を、サービス要求者側のインターフェースを通じて前記別のパケットゲートウエー装置に転送する転送ステップと、
前記別のパケットゲートウエー装置のサービス提供者側のインターフェースを活性状態にする活性化ステップと、
サービス要求者側のネットワークに接続される交換機が、サービス要求者からの信号を前記別のパケットゲートウエー装置に転送するように、前記交換機のパケット配信テーブルを設定する設定ステップ
より成り、前記あるパケットゲートウエー装置及び前記別のパケットゲートウエー装置は、サービス提供者側からは同一のアドレスによりアクセスされることを特徴とするノード切り替え方法。
【請求項２】
前記転送ステップ以前に、前記あるパケットゲートウエー装置に、前記別のパケットゲートウエー装置のサービス要求者側のインターフェースにおけるアドレスを、外部コマンドにより通知するステップより成ることを特徴とする請求項１記載のノード切り替え方法。
【請求項３】
前記転送ステップにて転送される情報が、サービス提供者に至るまでの経路情報を含むことを特徴とする請求項１記載のノード切り替え方法。
【請求項４】
前記非活性化ステップが実行された後であって前記設定ステップが実行される前は、サービス利用者側からの上り信号が前記あるパケットゲートウエー装置にて受信され、該上り信号が前記別のパケットゲートウエー装置に転送されることを特徴とする請求項１記載のノード切り替え方法。
【請求項５】
更に、前記あるパケットゲートウエー装置のサービス要求者側のインターフェースを非活性化し、前記あるパケットゲートウエー装置をネットワークから除去するステップより成ることを特徴とする請求項１記載のノード切り替え装置。
【発明の詳細な説明】
【技術分野】
【０００１】
本発明は、データ通信の技術分野に属し、特にインターネットプロトコル（ＩＰ）に準拠したネットワークにおけるゲートウエー装置の切り替え方法に関連する。
【背景技術】
【０００２】
今日、インターネットプロトコルを用いる多くのネットワーク又は通信システムが存在する。特に、移動端末がインターネット網を利用して何らかのサービス提供を受けることを可能にする通信システムが注目されている。
【０００３】
図１は、この種の通信システムの概略的なブロック図を示す。通信システム１００は、移動端末１０２と、パケット交換機１０４と、パケットゲートウエー装置１０６と、ルータ１０８，１１０と、サービスプロバイダ（側の装置）１１２，１１４とを備える。移動端末１０２は、無線インターフェースその他のインターフェースを通じてパケット交換機１０４との間でパケット信号を送受信する。パケット交換機１０４は、パーソナルディジタルセルラ（ＰＤＣ）におけるローカルエリアネットワーク（ＬＡＮ）を通じて、パケットゲートウエー装置１０６に接続される。パケットゲートウエー装置１０６は、ネットワークサービスプロバイダ側のローカルエリアネットワークを通じてルータ１０８，１１０に接続される。ルータ１０８，１１０は各自に関するサービスプロバイダ１１２，１１４にそれぞれ接続される。
【０００４】
動作時にあっては、例えば、サービスを希望する移動端末（サービス要求者）からの上りパケット信号が、パケット交換機１０４に達する。パケット交換機１０４では、上りパケットの宛先アドレス又はネットワークＩＤ（ＮＩＤ）とゲートウエー装置との対応関係を調べることで、適切なゲートウエー装置１０６にそれを転送する。パケットゲートウエー装置１０６は、所定の宛先アドレスに至るまでの経路情報を有している。経路情報には、例えば、宛先アドレスに至る途中で経由すべきルータのアドレス情報が含まれる。上りパケット信号は、適切なパケットゲートウエー装置１０６及びルータ１０８を経由して、例えばサービスプロバイダＡである所望の宛先に到達する。一方、サービスプロバイダからの移動端末１０２宛の下りのパケット信号は、そのサービスプロバイダに関連付けられているパケットゲートウエー装置１０６により受信される。更に、下りのパケット信号は、パケット交換機１０４に転送され、最終的に移動端末１０２に到達する。このようにして、サービス要求及びサービス提供に関する一連の手順が実行される。このような従来の通信システムについては、例えば特許文献１に開示されている。
【特許文献１】特開平１１−３３１２５６号公報
【発明の開示】
【発明が解決しようとする課題】
【０００５】
ところで、サービスプロバイダの数や種類は近年益々増えつつあり、各サービスプロバイダに至る経路情報の管理等の処理負担も増えつつある。パケットゲートウエー装置に求められる処理能力も一層高いものが要求される傾向にある。そこで、処理速度の高速化等を図るために、パケットゲートウエー装置のような通信ノードを高性能のものに交換する又は切り替えることが、必要に応じてなされるべきである。
【０００６】
従来の通信ノードの切り替え方法では、先ず、交換後に使用されるパケットゲートウエー装置（新ＰＧＷ１０７）を別のネットワークとして新設する。次に、交換前に使用されているパケットゲートウエー装置（旧ＰＧＷ）に収容されている内容を新ＰＧＷに収容替えする。この収容替えでは、旧ＰＧＷに収容されているＮＩＤを個々に選択し、新ＰＧＷにその内容を個々に追加し、旧ＰＧＷ中のそのＮＩＤを削除する。この作業が旧ＰＧＷに収容されている総てのＮＩＤについて人手を介して個々に反復される。というのは、新ＰＧＷに新たなＮＩＤを追加する手順は、ノード切り替えのために用意されているものではなく、ＰＧＷに新たなサービスプロバイダを新規に追加する際の手順としてシステムに用意されているものを、ノード切り替えに代用しているからである。（同様に、旧ＰＧＷからＮＩＤを削除する手順もノード切り替えのために用意されているものではなく、パケットの配信を要しなくなったサービスプロバイダをＰＧＷから削除する際の手順としてシステムに用意されているものを、ノード切り替えに代用している。）更に、パケット交換機１０４や、ルータ１０８，１１０等の総ての通信ノードが新ＰＧＷ１０７を認識することも必要である。これら総ての準備が整った後に、旧ＰＧＷがネットワークから減設される。新ＰＧＷの新設から旧ＰＧＷの減設までに要する時間は比較的長時間であり、その間サービスプロバイダはサービスを提供することができず、ユーザはサービス提供を受けることができない点で不都合である。また、煩雑な追加及び削除手順を実行することに起因して、その作業負担及びコストが大きくなってしまう点も不都合である。更には、そのような煩雑な作業に伴って、設定ミスの生じる虞も高くなってしまう。
【０００７】
特許文献１記載発明は、特に「ネットワーク上の１つのインターネットアドレスに対して複数のＩＰアドレスを割り付けて管理するためのミラーアドレス情報を掲載したミラーアドレス情報保持部」と、「ネットワークノードからの問い合せに対してミラーアドレス情報保持部の検索を行ない、対象となるＩＰアドレスをネットワークノードに回答するミラーアドレス解決デーモン」とを利用し、ネットワーク上の接続先を切り替えている。しかしながら、この発明によれば、「ミラーアドレス解決デーモン」のような特殊な装置を、通信ノードを交換する毎にネットワークに導入しなければならず、そのようなデーモンの設置及び以後の保守というような別の業務負担及びコストが必要となってしまう。
【０００８】
本発明は、上記の問題点に鑑みてなされたものであり、その課題は、インターネットプロトコルに準拠した通信ネットワークにおけるあるパケットゲートウエー装置の機能を別のパケットゲートウエー装置にて行なわせるための改善されたノード切り替え方法を提供することである。
【課題を解決するための手段】
【０００９】
本発明によれば、
インターネットプロトコルに準拠したネットワークにおけるあるパケットゲートウエー装置の機能を別のパケットゲートウエー装置にて行なわせるためのノード切り替え方法であって、
前記別のパケットゲートウエー装置を、サービス要求者側のネットワークに及びサービス提供者側のネットワークに物理的に接続するが、前記別のパケットゲートウエー装置に関するサービス提供者側のインターフェースは非活性状態にしておくところの接続ステップと、
前記あるパケットゲートウエー装置のサービス提供者側のインターフェースを非活性状態にする非活性化ステップと、
前記あるパケットゲートウエー装置に保持されている情報の少なくとも一部を、サービス要求者側のインターフェースを通じて前記別のパケットゲートウエー装置に転送する転送ステップと、
前記別のパケットゲートウエー装置のサービス提供者側のインターフェースを活性状態にする活性化ステップと、
サービス要求者側のネットワークに接続される交換機が、サービス要求者からの信号を前記別のパケットゲートウエー装置に転送するように、前記交換機のパケット配信テーブルを設定する設定ステップ
より成り、前記あるパケットゲートウエー装置及び前記別のパケットゲートウエー装置は、サービス提供者側からは同一のアドレスによりアクセスされることを特徴とするノード切り替え方法が、提供される。
【発明の効果】
【００１０】
本発明によれば、インターネットプロトコルに準拠した通信ネットワークにおけるあるパケットゲートウエー装置の機能を別のパケットゲートウエー装置にて行なわせるためのノード切り替え方法が、従来よりも改善される。
【発明を実施するための最良の形態】
【００１１】
図２は、本願実施例によるノード切り替え方法を使用することの可能な通信システムの概略図である。図示されている通信システムは、図１にて説明したものと同様であるが、説明を簡単にするため、ルータや移動端末が描かれていない点が主に異なる。
【００１２】
通信システム１００は、パケット交換機２０２と、パケットゲートウエー装置２０４と、サービスプロバイダ２０６（Ａ）と、別のサービスプロバイダ２０８（Ｂ）とを含む。パケット交換機２０２は、パーソナルディジタルセルラにおけるローカルエリアネットワーク（ＰＤＣＰ−ＬＡＮ）を通じて、パケットゲートウエー装置２０４に接続される。パケットゲートウエー装置２０４は、ネットワークサービスプロバイダ側のローカルエリアネットワーク（ＮＳＰ−ＬＡＮ）を通じてサービスプロバイダ２０６，２０８に適宜接続される。
【００１３】
動作時にあっては、例えば、サービスを希望する移動端末（サービス要求者）からの上りパケット信号が、パケット交換機２０２に達する。パケット交換機２０２では、上りのパケット信号の宛先アドレス又はネットワークＩＤ（ＮＩＤ）とパケットゲートウエー装置との対応関係を調べることで、適切なパケットゲートウエー装置２０４にそれを転送する。その対応関係は、パケット配信テーブルとして格納されることが可能である。パケットゲートウエー装置２０４は、所定の宛先アドレスに至るまでの経路情報を有している。経路情報には、例えば、宛先アドレスに至る途中に経由すべきルータのアドレス情報が含まれる。サービスプロバイダがどのパケットゲートウエー装置に関連付けられているか又はどのゲートウエー装置に所属しているかは、例えば地域的範囲に基づいて定めることが可能であるが、それに限定されない。上りのパケット信号は、適切なパケットゲートウエー装置２０４を経由して、例えばサービスプロバイダＡである所望の宛先に到達する。一方、サービスプロバイダからの下りのパケット信号は、そのサービスプロバイダに関連付けられているパケットゲートウエー装置２０４により受信される。そして、下りのパケット信号は、パケット交換機２０２に転送され、最終的に移動端末に到達する。このようにして、サービス要求及びサービス提供に関する一連の手順が実行される。
【００１４】
次に、図３以降の各図を参照しながら、この通信システムに使用されているパケットゲートウエー装置２０４（旧ＰＧＷ）を、別のパケットゲートウエー装置（新ＰＧＷ）に置換する方法が説明される。例えば、新ＰＧＷは、旧ＰＧＷに比べて処理速度が高速であったり、機能的に優れているものであり得る。
【００１５】
図３は、旧ＰＧＷ２０４に加えて、別のパケットゲートウエー装置（新ＰＧＷ）２０５が、インターネット網に接続される様子を示す。新ＰＧＷ２０５は、パーソナルディジタルセルラ側（即ち、サービス要求者側）のネットワーク（ＰＤＣＰ−ＬＡＮ）及びネットワークサービスプロバイダ側（即ち、サービス提供者側）のネットワーク（ＮＳＰ−ＬＡＮ）にそれぞれ物理的に接続される。サービス提供者側のインターフェースにおける新ＰＧＷ２０５のＩＰアドレスは、旧ＰＧＷ２０４のＩＰアドレスと同一に設定される。即ち、サービスプロバイダ側から見れば、旧ＰＧＷ２０４も新ＰＧＷ２０５も同一のＩＰアドレス（例えば、ｘｘ．ｘｘ．ｘｘ．ｘｘ）である。サービス要求者側のインターフェースにおける旧ＰＧＷ２０４及び新ＰＧＷ２０５のＩＰアドレスは、別々に設定される。例えば、パケット交換機２０２から見れば、旧ＰＧＷ２０４がＩＰアドレスａａ．ａａ．ａａ．ａａを有し、新ＰＧＷ２０５がＩＰアドレスｂｂ．ｂｂ．ｂｂ．ｂｂを有する。この段階では、パケット交換機２０２及び旧ＰＧＷ２０４が、新ＰＧＷ２０５に関する情報（例えば、ＩＰアドレス等）を有することは必須ではない。本実施例におけるこの段階では、パケット交換機２０２及び旧ＰＧＷ２０４は、未だ新ＰＧＷ２０５を把握していない。
【００１６】
図示されているこの段階では、サービス提供者側のインターフェースは、旧ＰＧＷ２０４に対してはアクティブである又は活性化されているが、図中に波線で示されているように、新ＰＧＷ２０５に対してはインアクティブである又は非活性化されている。従って、仮に新ＰＧＷ２０５に、サービスプロバイダからのパケット信号が到達したとしても、その信号は更なる上位レイヤで処理されることはない。サービス利用者側のインターフェースは、新旧ＰＧＷ２０４，２０５共に活性化されている。
【００１７】
図４は、図３に示される状況の後の様子を示す。先ず、旧ＰＧＷ２０４に、新ＰＧＷ２０５に関する情報（例えば、新ＰＧＷ２０５のサービス要求者側のＩＰアドレスがｂｂ．ｂｂ．ｂｂ．ｂｂであること）が与えられる。この情報提供は例えば外部からのコマンドによって行なわれる。このコマンドにより、旧ＰＧＷ２０４は新ＰＧＷ２０５を把握することが可能になる。旧ＰＧＷ２０４のサービス提供者側のインターフェースは非活性化され、その旨が新ＰＧＷ２０５に通知される。この場合に、旧ＰＧＷ２０４にて管理していた経路情報や、パケット交換機２０２のＩＰアドレスのような情報が、新ＰＧＷ２０５に転送され格納される（図中、「切り替え通知」として示されている。）。そして、新ＰＧＷ２０５に対するサービス提供者側のインターフェースが活性化される。これにより、サービスプロバイダからの下りのパケット信号は、旧ＰＧＷ２０４に代わって新ＰＧＷ２０５によって処理されることになる。
【００１８】
図５は、図４に示される状況の後の様子を示す。パケット交換機２０２に、新ＰＧＷ２０５のＩＰアドレス（ｂｂ．ｂｂ．ｂｂ．ｂｂ）のような新ＰＧＷ２０５に関する情報が与えられる。この情報提供は、例えば外部からのコマンドによって行なわれることが可能である。この情報により、パケット交換機２０２にて受信されたパケット信号の配信先を決定するパケット配信テーブルの内容は、更新される。その結果、パケット交換機２０２からの上りのパケット信号が、新ＰＧＷ２０５に送信されることとなる。以後、旧ＰＧＷ２０４がネットワークから除去される（減設される）。
【００１９】
このようにして、旧ＰＧＷ２０４が新ＰＧＷ２０５に置換される。下りのパケット信号については、新ＰＧＷ２０５で管理されるパケット配信テーブルが適切に設定され次第、旧ＰＧＷ２０４によらず、下りのパケット信号を配信することが可能になる。しかし、上りのパケット信号については、新ＰＧＷ２０５だけでなく、パケット交換機２０２におけるパケット配信テーブル（宛先のＩＰアドレスとパケットゲートウエー装置との対応関係）も適切に更新されることを要する。従って、過渡的な状況として、新ＰＧＷ２０５の準備は完了しているが（図４）、パケット交換機２０２のパケット配信テーブルは未だ更新されていないような場合が生じ得る。
【００２０】
図６は、そのような過渡的な状況におけるパケット信号の流れを示す図である。サービスプロバイダＡ２０６からの下りのパケット信号は、新旧ＰＧＷで同一のＩＰアドレス（上記の例では、ｘｘ．ｘｘ．ｘｘ．ｘｘ）に向けて送信され、新ＰＧＷ２０５に到達する。旧ＰＧＷ２０４側のインターフェースは非活性であるので、下りのパケット信号は旧ＰＧＷ２０４では処理されない。新ＰＧＷ２０５にて受信された下りのパケット信号は、例えばｃｃ．ｃｃ．ｃｃ．ｃｃのＩＰアドレスを有するパケット交換機２０２に配信され、それは最終的には移動端末に到達する。
【００２１】
一方、移動端末からの上りのパケット信号は、パケット交換機２０２にて受信される。パケット交換機２０２は、この過渡的段階では新ＰＧＷ２０５を把握していない。このため、上りのパケット信号は旧ＰＧＷ２０４（上記の例では、ＩＰアドレスａａ．ａａ．ａａ．ａａを有する）に配信される。旧ＰＧＷ２０４は、図４に関連して説明したように、新ＰＧＷ２０５に関する情報を所有している。この情報を利用して、旧ＰＧＷ２０４は、上りのパケット信号を新ＰＧＷ２０５（ＩＰアドレスｂｂ．ｂｂ．ｂｂ．ｂｂを有する）に転送する。新ＰＧＷ２０５は、格納済みの経路情報に従って、その上りのパケット信号を適切なサービスプロバイダへ配信する。このように過渡的な段階では、上りのパケット信号は、下りのパケット信号とは異なり、旧ＰＧＷ２０４を経由して配信される。
【００２２】
図７は、本願実施例によるノード切り替え方法の動作を示すフローチャートである。概して、このフローチャートは、図２乃至図６に関して説明された動作を結合することで得られる。図中左側に、関連する図番号が示されている。図中一重の矢線は、呼処理信号であり、上り又は下りのパケット信号を表現する。二重の矢線は、各通信ノードに対する制御入力信号を表現する。
【００２３】
図２に関連して説明されたように、サービスプロバイダからの下り信号は、旧ＰＧＷ２０４に配信され、パケット交換機２０２に到達し、最終的にはサービス要求者に配信される。上りのパケット信号は、パケット交換機２０２にて受信され、旧ＰＧＷ２０４に配信され、所望のサービスプロバイダに配信される。
【００２４】
図３に関連して説明されたように、新ＰＧＷ２０５が新設される。この場合に、サービス提供者側のインターフェースは非活性化される。
【００２５】
図４に関連して説明されたように、旧ＰＧＷ２０４に切り替えコマンドが与えられる。このコマンドは、切り替え動作を開始することを表現することに加えて、新ＰＧＷに関するＩＰアドレスも含んでいる。これにより、旧ＰＧＷ２０４は新ＰＧＷ２０５を認識することが可能になる。旧ＰＧＷ２０４は、管理していた経路情報を新ＰＧＷ２０５に転送し、切り替えを通知する。また、旧ＰＧＷ２０４は、受信した下りのパケット信号を配信すべきパケット交換機の情報も通知する。これにより、新ＰＧＷ２０５は、下りのパケット信号を配信すべきパケット交換機を認識することが可能になる。そして、新ＰＧＷ２０５に関して非活性であったインターフェースが活性化される。旧ＰＧＷ２０４についても新ＰＧＷ２０５についてもインターフェースが非活性である期間には、パケット信号を配信することができないので、サービスは中断される。この期間は、「中断時間」として図示されている。新ＰＧＷ２０５が活性化されると、サービス要求者及びサービス提供者の間でパケット信号が送受信されることが可能になる。但し、上述したように、パケット交換機２０２に新ＰＧＷ２０５に関する情報が与えられる以前は、ノード切り替えの過渡的な状態にてサービス提供が行なわれる。
【００２６】
図６に関連して説明したように、この過渡的な状況では、サービスプロバイダからの下りのパケット信号は、新ＰＧＷ２０５に配信され、パケット交換機２０２に配信される。一方、サービス要求者からの上りのパケット信号は、パケット交換機２０２にて受信され、旧ＰＧＷ２０４に配信される。旧ＰＧＷ２０４は、受信した上りのパケット信号を新ＰＧＷ２０５に転送する。そして、新ＰＧＷ２０５は、受信した上りのパケット信号をサービスプロバイダに配信する。
【００２７】
図５に関連して説明したように、パケット交換機２０２には、新ＰＧＷ２０５に関する情報が与えられる。パケット交換機２０２は、新ＰＧＷ２０５を認識することが可能になる。これにより、パケット交換機２０２の受信した上りのパケット信号は、旧ＰＧＷ２０４ではなく新ＰＧＷ２０５に配信される。新ＰＧＷ２０５にて受信された上りのパケット信号は、以後適切なサービスプロバイダに配信される。そして、呼処理を行なうことの無くなった旧ＰＧＷ２０４がネットワークから減設される。このようにして、あるパケットゲートウエー装置（旧ＰＧＷ２０４）を別のパケットゲートウエー装置（新ＰＧＷ２０５）に交換することが可能になる。
【００２８】
本願実施例によれば、旧ＰＧＷ２０４にて管理されていた経路情報やパケット交換機に関する情報が、新ＰＧＷ２０５に一括して転送されるので、新ＰＧＷ２０５のパケット配信テーブルの内容を速やかに設定することが可能になる。この点、旧ＰＧＷ２０４から新ＰＧＷ２０５へ配信情報等の転送を行なっていない従来手法と大きく異なる。従来方式では、新たに設立するＰＧＷのパケット配信テーブルは、新規に参入して来たサービスプロバイダを登録する手順を利用して、サービスプロバイダを個々に人手を介して登録しており、旧ＰＧＷにて管理されていた情報は、ノード切り替えの際には何ら利用されていない。従って、本願実施例によれば、新ＰＧＷのパケット配信テーブルの設定は、旧ＰＧＷから新ＰＧＷへの情報転送により行なわれるので、作業負担やコストが少なくなることに加えて、入力ミス等に起因するミスも少なく安全に行うことが可能になる。
【００２９】
本願実施例によれば、サービス提供者側のインターフェースでは、新旧ＰＧＷのＩＰアドレスは等しく設定される。このため、サービス提供者は新旧ＰＧＷを区別する必要が無いので、新ＰＧＷの準備が整い次第、下りのパケット信号を配信することが可能になる。このため、サービス中断時間は極めて短くなり得る。
【００３０】
以上、ＰＤＣに準拠した特定の実施例を例にとりながら本発明を説明してきたが、本発明は、ＰＤＣに限らず、インターネットプロトコルを利用する任意のネットワークにおけるノード切り替えに適用され得る。但し、本発明を広く適用する観点からは、既に広範囲にわたって普及しているＰＤＣシステムに接続されたインターネット網に適用されることが望ましい。
【００３１】
以下、本願課題を解決する手段を例示的に列挙する。
【００３２】
（付記１）
インターネットプロトコルに準拠したネットワークにおけるあるパケットゲートウエー装置の機能を別のパケットゲートウエー装置にて行なわせるためのノード切り替え方法であって、
前記別のパケットゲートウエー装置を、サービス要求者側のネットワークに及びサービス提供者側のネットワークに物理的に接続するが、前記別のパケットゲートウエー装置に関するサービス提供者側のインターフェースは非活性状態にしておくところの接続ステップと、
前記あるパケットゲートウエー装置のサービス提供者側のインターフェースを非活性状態にする非活性化ステップと、
前記あるパケットゲートウエー装置に保持されている情報の少なくとも一部を、サービス要求者側のインターフェースを通じて前記別のパケットゲートウエー装置に転送する転送ステップと、
前記別のパケットゲートウエー装置のサービス提供者側のインターフェースを活性状態にする活性化ステップと、
サービス要求者側のネットワークに接続される交換機が、サービス要求者からの信号を前記別のパケットゲートウエー装置に転送するように、前記交換機のパケット配信テーブルを設定する設定ステップ
より成り、前記あるパケットゲートウエー装置及び前記別のパケットゲートウエー装置は、サービス提供者側からは同一のアドレスによりアクセスされることを特徴とするノード切り替え方法。
【００３３】
（付記２）
前記転送ステップ以前に、前記あるパケットゲートウエー装置に、前記別のパケットゲートウエー装置のサービス要求者側のインターフェースにおけるアドレスを、外部コマンドにより通知するステップより成ることを特徴とする付記１記載のノード切り替え方法。
【００３４】
（付記３）
前記転送ステップにて転送される情報が、サービス提供者に至るまでの経路情報を含むことを特徴とする付記１記載のノード切り替え方法。
【００３５】
（付記４）
前記非活性化ステップが実行された後であって前記設定ステップが実行される前は、サービス利用者側からの上り信号が前記あるパケットゲートウエー装置にて受信され、該上り信号が前記別のパケットゲートウエー装置に転送されることを特徴とする付記１記載のノード切り替え方法。
【００３６】
（付記５）
更に、前記あるパケットゲートウエー装置のサービス要求者側のインターフェースを非活性化し、前記あるパケットゲートウエー装置をネットワークから除去するステップより成ることを特徴とする付記１記載のノード切り替え装置。
【００３７】
（付記６）
前記サービス要求者側のネットワークに接続される交換機が、パーソナルディジタルセルラー通信システムにおける交換機であることを特徴とする付記１記載のノード切替装置。
【図面の簡単な説明】
【００３８】
【図１】ノード切り替えの行なわれる通信システムの概略図である。
【図２】ノード切り替えの行なわれる通信システムの概略図である。
【図３】ノード切り替え途中の様子を示す図である。
【図４】ノード切り替え途中の様子を示す図である。
【図５】ノード切り替え途中の様子を示す図である。
【図６】過渡的な状況におけるパケット信号の流れを示す図である。
【図７】本願実施例によるノード切り替え方法の動作を示すフローチャートである。
【符号の説明】
【００３９】
１００  通信システム
１０２  移動端末
１０４  パケット交換機
１０６，１０７パケットゲートウエー装置
１０８，１１０  ルータ
１１２，１１４  サービスプロバイダ
２０２  パケット交換機
２０４，２０５  パケットゲートウエー装置
２０６，２０８  サービスプロバイダ
【図１】
2005252722.tif 000003
【図２】
2005252722.tif 000004
【図３】
2005252722.tif 000005
【図４】
2005252722.tif 000006
【図５】
2005252722.tif 000007
【図６】
2005252722.tif 000008
【図７】
2005252722.tif 000009